(57)【要約】【課題】電流センサの取付作業の簡素化と取付スペースの確保の容易化を図る。【解決手段】２つの連系ブレーカ４の１次側端子40同士を接続する電線100は、直上の支持部材11と、前記スペースに配置されている支持部材11とにそれぞれ大凡４分の１周ずつ巻き付けられるようにして支持される。その結果、３本の電線100は、１次側端子40と横方向に並ぶ支持部材11の間において、前記スペースの中央寄りに配置される。そして、各電線100の中央寄りに配置された部分に、必要に応じて電流センサ７が取り付けられる。その結果、電流センサ７の取付作業の簡素化と取付スペースの確保の容易化を図ることができる。【選択図】        図１
2014057413.tif 000002
【特許請求の範囲】
【請求項１】
主幹ブレーカと、前記主幹ブレーカの２次側端子に分岐接続される複数の分岐ブレーカと、電線によって前記主幹ブレーカの１次側端子に送り配線される複数の連系ブレーカと、前記主幹ブレーカ及び前記分岐ブレーカ、前記連系ブレーカを内部に収納するとともに隣り合う前記連系ブレーカ同士の間に所定のスペースが設けられたボックスと、前記電線の少なくとも一部が前記スペースの中央寄りに配置されるように前記電線を支持する支持部材とを備えることを特徴とする住宅用分電盤。
【請求項２】
前記支持部材は、前記連系ブレーカが取り付けられる取付板に突設されることを特徴とする請求項１記載の住宅用分電盤。
【発明の詳細な説明】
【技術分野】
【０００１】
本発明は、住宅用分電盤に関する。
【背景技術】
【０００２】
近年、原子力発電所の停止に伴う電力供給量の不足に対処することなどを目的として、太陽光発電システムのように再生可能なエネルギーで発電し、さらに、発電した電力又は電力系統から供給される電力を蓄電池に蓄電することで電力需要の平準化が図られている。例えば、特許文献１には、一般的な系統連系形の太陽光発電システムが開示されている。このような系統連系形の太陽光発電システムでは、太陽電池から出力される直流電圧・直流電流をパワーコンディショナで交流電圧・交流電流に変換し、１次側が電力系統に接続されている主幹ブレーカの２次側にパワーコンディショナの交流出力が出力される。ここで、パワーコンディショナと主幹ブレーカの２次側との間には、パワーコンディショナや太陽電池を保護するために連系ブレーカと呼ばれる回路遮断器(通常、漏電遮断器)が挿入される。なお、連系ブレーカは、リミッタや主幹ブレーカ、複数の分岐ブレーカとともに住宅用分電盤（以下、住宅盤と略す。）のボックス内に収納される。
【０００３】
また、家庭用燃料電池を含む燃料電池コージェネレーションシステムも普及してきている。系統連系形の燃料電池発電システムは、燃料電池で発電される電力を電力変換装置(パワーコンディショナ)で電力変換し、連系ブレーカを介して主幹ブレーカの２次側に供給している。
【０００４】
さらに、太陽電池の発電電力や電力系統の深夜電力を蓄電し、電力需要が増える時間帯(昼間)や電力系統の停電時に蓄電池から電力供給するシステム(蓄電システム)や、電気自動車のバッテリから住宅内の電気機器に電力供給するシステムも提供され始めている。
【０００５】
このように、一般家庭においても、複数種類の分散電源が電力系統と連系して電力を供給する配電システムがますます普及すると予想される。
【先行技術文献】
【特許文献】
【０００６】
【特許文献１】特開２０１１−１４５０７６号公報
【発明の概要】
【発明が解決しようとする課題】
【０００７】
ところで、上述した各分散電源は、それぞれが連系ブレーカを介して主幹ブレーカの１次側に並列接続される。つまり、各分散電源の連系ブレーカは、住宅盤のボックス内に収納され、引き込み口から引き込まれた単相３線式の電源線が送り配線で接続される。そのため、電源線に取り付けられる電流センサの収納スペースが確保し難くなり、また、電源線に対する電流センサの取付作業が困難になるという問題があった。
【０００８】
本発明は、上記課題に鑑みて為されたものであり、電流センサの取付作業の簡素化と取付スペースの確保の容易化を図ることを目的とする。
【課題を解決するための手段】
【０００９】
本発明の住宅用分電盤は、主幹ブレーカと、前記主幹ブレーカの２次側端子に分岐接続される複数の分岐ブレーカと、電線によって前記主幹ブレーカの１次側端子に送り配線される複数の連系ブレーカと、前記主幹ブレーカ及び前記分岐ブレーカ、前記連系ブレーカを内部に収納するとともに隣り合う前記連系ブレーカ同士の間に所定のスペースが設けられたボックスと、前記電線の少なくとも一部が前記スペースの中央寄りに配置されるように前記電線を支持する支持部材とを備えることを特徴とする。
【００１０】
この住宅用分電盤において、前記支持部材は、前記連系ブレーカが取り付けられる取付板に突設されることが好ましい。
【発明の効果】
【００１１】
本発明の住宅用分電盤は、電流センサの取付作業の簡素化と取付スペースの確保の容易化を図ることができるという効果がある。
【図面の簡単な説明】
【００１２】
【図１】本発明に係る住宅用分電盤の実施形態を示す平面図である。
【図２】同上における電流センサを示し、(ａ)は貫通型の斜視図、(ｂ)は分割型の斜視図である。
【発明を実施するための形態】
【００１３】
以下、本発明に係る住宅用分電盤(住宅盤)の実施形態について、図面を参照して詳細に説明する。
【００１４】
本実施形態の住宅盤は、図１に示すように住宅の壁に埋込配設(又は露出配設)されるキャビネットと、キャビネット内に収納される複数種類の内部機器(内器)とで構成される。キャビネットは、前面が開口した扁平な矩形箱状のボックス１と、ボックス１の前面を着脱自在に覆うカバー(図示せず)、若しくはボックス１の前面を開閉自在に覆うドア(図示せず)とで構成される。
【００１５】
ボックス１は合成樹脂成形体からなり、その内底面に複数の金属製の取付板10がねじ止めされており、各取付板10の前面に複数種類の内器がそれぞれ取り付けられる。
【００１６】
内器には、主幹ブレーカ(主開閉器)２、複数の分岐ブレーカ(分岐開閉器)３、複数の連系ブレーカ４、接地端子台５などが含まれる。主幹ブレーカ２は、屋側の電力量計(スマートメーター)を介して屋内に引き込まれた単相３線式の電源線と接続される３つの１次側端子(図示せず)が一端(上端)側に並設され、後述する分岐用の導電体ブロック６に接続される３つの２次側端子(図示せず)が側面(図１における右側面)に並設されている。ただし、１次側端子は、合成樹脂などの絶縁材料製の端子カバー20で覆い隠されている。
【００１７】
導電体ブロック６は、長尺の金属板からなる３本の導電バー(図示せず)、導電バーを保持する保持体60、導電バーや保持体60の一部を覆うカバー61などで構成される。各導電バーは、一端部がそれぞれ主幹ブレーカ２の２次側端子に接続され、分岐ブレーカ３が接続される部分が、前後方向に等間隔に並ぶように保持体60に保持される。
【００１８】
分岐ブレーカ３は、３本の導電バーが各別に挿入される３つの切欠(図示せず)が一端部に設けられ、且つ負荷用のねじ端子(図示せず)が他端部に設けられたハウジングを有している。ハウジングは、切欠が設けられている一端部側に２つの接続端子(図示せず)が前後方向に並べて配設されている。そして、３本の導電バーのうちのいずれか２本の導電バーと２つの接続端子が接続されることにより、各分岐ブレーカ３が主幹ブレーカの２次側端子に分岐接続される。
【００１９】
連系ブレーカ４は、従来周知である単相３線中性線欠相保護付の漏電遮断器からなり、１次側の３つのねじ端子40が一端(上端)側に並設され、２次側の３つのねじ端子41が他端(下端)側に並設されている。なお、上述した主幹ブレーカ２、分岐ブレーカ３、連系ブレーカ４、導電体ブロック６は従来周知であるから、詳細な構造についての図示並びに説明を省略する。
【００２０】
次に、本発明の要旨である連系ブレーカ４の取付構造について説明する。２つの連系ブレーカ４は、図１に示すように所定のスペース(連系ブレーカ４の横幅と略同等のスペース)を設けて取付板10に取り付けられている。そして、外部から引き込まれる電源線(図示せず)と、送り配線用の電線100とが左側の連系ブレーカ４の１次側端子40に接続される。さらに、送り配線用の電線100の他端と、一端が主幹ブレーカ２の１次側端子に接続されている電線101の他端とが右側の連系ブレーカ４の１次側端子40に接続される。
【００２１】
ここで、連系ブレーカ４が取り付けられる取付板10には、電線100の少なくとも一部が前記スペースの中央寄りに配置されるように電線100を支持する複数の支持部材11が設けられている。支持部材11は、例えば、円柱形状の合成樹脂成形体からなり、取付板10に穿孔された取付孔(図示せず)に後端部が差し込まれることで取付板10に突設されている。
【００２２】
これらの支持部材11は、各連系ブレーカ４の１次側端子40の直上にそれぞれ配置され、さらに、１次側端子40の直上の支持部材11及び１次側端子40と横方向に並ぶように前記スペースに配置されている。
【００２３】
２つの連系ブレーカ４の１次側端子40同士を接続する電線100は、直上の支持部材11と、前記スペースに配置されている支持部材11とにそれぞれ大凡４分の１周ずつ巻き付けられるようにして支持される。その結果、３本の電線100は、１次側端子40と横方向に並ぶ支持部材11の間において、前記スペースの中央寄りに配置される。そして、各電線100の中央寄りに配置された部分に、必要に応じて電流センサ７が取り付けられる。
【００２４】
電流センサ７は従来周知であって、例えば、図２(ａ)に示すように円環状に形成された合成樹脂製のケース70内に、２次巻線(検出用巻線)が巻回されたトロイダルコアが収納された、いわゆる貫通型のものである。貫通型の電流センサ７の場合、ケース70中央の孔71に電線100が挿通された後に、各連系ブレーカ４の送り配線が行われる。なお、電流センサ７には、図２(ｂ)に示すように半円環状の２つのケース72，72内に、２分割され且つ２次巻線が巻回されたトロイダルコアが収納され、各ケース72，72が一端側で回動自在に軸支された、いわゆる分割型のものもある。分割型の電流センサ７の場合、各連系ブレーカ４の送り配線が終わった後で電線100に取り付けることができる。
【００２５】
上述のように本実施形態では、電線100の少なくとも一部が支持部材11に支持されて複数の連系ブレーカ４の間に設けられるスペースの中央寄りに配置されるため、電流センサ７の取付作業の簡素化と取付スペースの確保の容易化を図ることができる。
【符号の説明】
【００２６】
１  ボックス
２  主幹ブレーカ
３  分岐ブレーカ
４  連系ブレーカ
７  電流センサ
11  支持部材
100  電線
【図１】
2014057413.tif 000003
【図２】
2014057413.tif 000004